(57)【要約】      （修正有）【課題】自己巻き付き型の配線保護部材の内側に簡単にケーブルを挿入することができる治具を提供する。【解決手段】ケーブル３００を保持するケーブル保持部１７０と、ケーブル保持部を取り囲む配線保護部材２００を保持する配線保護部材保持部とを有し、第１ヒンジ部１３０で結合された内側板材１１０Ａ，１１０Ｂと、第２ヒンジ部１４０で結合された外側板材１２０Ａ，１２０Ｂとを備え、第１ヒンジ部で折り畳んでケーブル保持部とし、第３ヒンジ部１５０で折り畳み、更に第２ヒンジ部で折り畳んで配線保護部材保持部とした構造。【選択図】図５
2015019536.tif 000002
【特許請求の範囲】
【請求項１】
ケーブルをチューブ状の自己巻き付き型の配線保護部材の内側に挿入する際に用いられる配線保護部材取付用治具において、ケーブルを保持する筒状のケーブル保持部と、このケーブル保持部より大径で前記ケーブル保持部を取り囲む筒状の自己巻き付き型の配線保護部材を保持する配線保護部材保持部と、第１ヒンジ部でヒンジ結合された一対の内側板材と、第２ヒンジ部でヒンジ結合された一対の外側板材とを具備しており、前記内側板材の一方と前記外側板材の一方とは第３ヒンジ部でヒンジ結合されており、前記一対の内側板材の第１ヒンジ部側には内側半円筒部が形成され、前記一対の外側板材の第２ヒンジ部側には外側半円筒部が形成されており、一対の内側板材を第１ヒンジ部で内側半円筒部を閉じる方向に折り畳むことで内側半円筒部を閉じてケーブル保持部とし、折り畳まれた一対の内側板材をケーブル保持部が外側半円筒部の内側に入るように第３ヒンジ部で折り畳み、一対の外側板材を第２ヒンジ部で外側半円筒部を閉じる方向に折り畳むことで外側半円筒部を閉じて配線保護部材保持部とし、折り畳んだ一対の内側板材を折り畳んだ一対の外側板材で挟み込むことを特徴とする配線保護部材取付用治具。
【請求項２】
前記ケーブル保持部と配線保護部材保持部との間には、自己巻き付き型の配線保護部材が入り込む隙間が形成されていることを特徴とする請求項１記載の配線保護部材取付用治具。
【請求項３】
前記一対の内側板材及び前記一対の外側板材には、折り畳んだ状態で重なって指掛け部となる内側開口及び外側開口、又は内側凹部及び外側凹部が開設されていることを特徴とする請求項１又は２記載の配線保護部材取付用治具。
【請求項４】
前記一対の内側板材の一方の内側開口の縁部には他方の内側板材の内側開口に嵌まり込む内側凸脈が、前記一対の外側板材の外側開口の縁部には内側板材の内側開口に嵌まり込む外側凸脈が形成されていることを特徴とする請求項３記載の配線保護部材取付用治具。
【発明の詳細な説明】
【技術分野】
【０００１】
本発明は、ケーブルをチューブ状の自己巻き付き型の配線保護部材の内側に挿入する際に用いられる配線保護部材取付用治具に関する。
【背景技術】
【０００２】
自己巻き付き型の配線保護部材としては、柔軟性を有する導電性素材を筒状に構成したものがある。この自己巻き付き型の配線保護部材には、通常は閉じているスリットが長手方向に形成されている。
【０００３】
このような導電性素材から構成される自己巻き付き型の配線保護部材にケーブルを挿入することで、ケーブルを電磁的に遮断することができるとともに、複数本のケーブルをひとまとめにすることができるので、ケーブルの取り廻しが容易になるというメリットがある。
【０００４】
なお、自己巻き付き型の配線保護部材には、電磁波の遮断機能をもたないもの、すなわち導電性素材ではない柔軟性を有する合成樹脂から構成されるものもある。
【０００５】
このような自己巻き付き型の配線保護部材にケーブルを挿入するには、スリットを押し開けながら順次、ケーブルを自己巻き付き型の配線保護部材の内側に押し入れるしかなかった。
【０００６】
また、特許第３８１７０２４号公報に記載された『電線保護部材の巻き付け方法』がある。
【０００７】
この『電線保護部材の巻き付け方法』は、『一端縁に沿って粘着部を有するシート状の電線保護部材を組電線上に巻き付けるときに、前記電線保護部材を、前記粘着部が前記組電線の長手方向に沿うように対応させた後、前記組電線と交差する一方の辺を、前記粘着部が他端縁側に接着可能な位置まで湾曲させる湾曲状態とし、その後、前記電線保護部材を前記組電線上にて前記湾曲状態に矯正可能な略筒形状の矯正手段を、先に前記湾曲状態とした側から反対側へ電線保護部材上を移動させることにより、前記電線保護部材の全体を前記湾曲状態にすることを特徴とする電線保護部材の巻き付け方法。』である。
【特許文献１】特許第３８１７０２４号公報
【発明の開示】
【発明が解決しようとする課題】
【０００８】
しかしながら、自己巻き付き型の配線保護部材の内側にスリットからケーブルを押し込むのは非常に手間がかかる作業である。
【０００９】
また、特許文献１に記載された方法では、粘着部を有するシート状の電線保護部材という特有の部材が必要となるので、一般的に流通している自己巻き付き型の配線保護部材を使用することはできない。
【００１０】
本発明は、上記事情に鑑みて創案されたもので、一般に広く流通しているスリット付きの自己巻き付き型の配線保護部材の内側に簡単にケーブルを挿入することができる配線保護部材取付用治具を提供することを目的としている
【課題を解決するための手段】
【００１１】
本発明に係る配線保護部材取付用治具は、ケーブルをチューブ状の自己巻き付き型の配線保護部材の内側に挿入する際に用いられるものであって、ケーブルを保持する筒状のケーブル保持部と、このケーブル保持部より大径で前記ケーブル保持部を取り囲む筒状の自己巻き付き型の配線保護部材を保持する配線保護部材保持部と、第１ヒンジ部でヒンジ結合された一対の内側板材と、第２ヒンジ部でヒンジ結合された一対の外側板材とを備えており、前記内側板材の一方と前記外側板材の一方とは第３ヒンジ部でヒンジ結合されており、前記一対の内側板材の第１ヒンジ部側には内側半円筒部が形成され、前記一対の外側板材の第２ヒンジ部側には外側半円筒部が形成されており、一対の内側板材を第１ヒンジ部で内側半円筒部を閉じる方向に折り畳むことで内側半円筒部を閉じてケーブル保持部とし、折り畳まれた一対の内側板材をケーブル保持部が外側半円筒部の内側に入るように第３ヒンジ部で折り畳み、一対の外側板材を第２ヒンジ部で外側半円筒部を閉じる方向に折り畳むことで外側半円筒部を閉じて配線保護部材保持部とし、折り畳んだ一対の内側板材を折り畳んだ一対の外側板材で挟み込むようになっている。
【００１２】
前記ケーブル保持部と配線保護部材保持部との間には、自己巻き付き型の配線保護部材が入り込む隙間が形成されている。
【００１３】
前記一対の内側板材及び前記一対の外側板材には、折り畳んだ状態で重なって指掛け部となる内側開口及び外側開口が開設されている。
【００１４】
前記一対の内側板材の一方の内側開口の縁部には他方の内側板材の内側開口に嵌まり込む内側凸脈が、前記一対の外側板材の外側開口の縁部には内側板材の内側開口に嵌まり込む外側凸脈が形成されている。
【発明の効果】
【００１５】
本発明に係る配線保護部材取付用治具は、ケーブルをチューブ状の自己巻き付き型の配線保護部材の内側に挿入する際に用いられるものであって、ケーブルを保持する筒状のケーブル保持部と、このケーブル保持部より大径で前記ケーブル保持部を取り囲む筒状の自己巻き付き型の配線保護部材を保持する配線保護部材保持部と、第１ヒンジ部でヒンジ結合された一対の内側板材と、第２ヒンジ部でヒンジ結合された一対の外側板材とを備えており、前記内側板材の一方と前記外側板材の一方とは第３ヒンジ部でヒンジ結合されており、前記一対の内側板材の第１ヒンジ部側には内側半円筒部が形成され、前記一対の外側板材の第２ヒンジ部側には外側半円筒部が形成されており、一対の内側板材を第１ヒンジ部で内側半円筒部を閉じる方向に折り畳むことで内側半円筒部を閉じてケーブル保持部とし、折り畳まれた一対の内側板材をケーブル保持部が外側半円筒部の内側に入るように第３ヒンジ部で折り畳み、一対の外側板材を第２ヒンジ部で外側半円筒部を閉じる方向に折り畳むことで外側半円筒部を閉じて配線保護部材保持部とし、折り畳んだ一対の内側板材を折り畳んだ一対の外側板材で挟み込むように構成されている。
【００１６】
このため、ケーブルをケーブル保持部に、自己巻き付き型の配線保護部材を配線保護部材保持部にそれぞれ位置させて、配線保護部材取付用治具をスライドさせるだけできわめて簡単に、ケーブルを自己巻き付き型の配線保護部材の内側に挿入することができる。
【図面の簡単な説明】
【００１７】
【図１】本発明の実施の形態に係る配線保護部材取付用治具の開いた状態の図面であって、同図（Ａ）は概略的正面図、同図（Ｂ）は概略的左側面図、同図（Ｃ）は概略的右側面図、同図（Ｄ）は概略的平面図、同図（Ｅ）は概略的底面図である。
【図２】本発明の実施の形態に係る配線保護部材取付用治具の閉じた状態の概略的斜視図である。
【図３】本発明の実施の形態に係る配線保護部材取付用治具の閉じた状態の異なる方向からの概略的斜視図である。
【図４】本発明の実施の形態に係る配線保護部材取付用治具の図２に示すＡ−Ａ線での該略的断面斜視図である。
【図５】本発明の実施の形態に係る配線保護部材取付用治具の使用手順を示す概略的斜視図であって、同図（Ａ）は内側半円筒部にケーブルを位置させた状態の概略的斜視図、同図（Ｂ）は内側板材を折り畳んでケーブル保持部を構成した状態の概略的斜視図、同図（Ｃ）は外側半円筒部に自己巻き付き型の配線保護部材を位置させた状態の概略的斜視図、同図（Ｄ）はケーブル保持部を自己巻き付き型の配線保護部材のスリットを介して自己巻き付き型の配線保護部材の内部に挿入した状態の概略的斜視図である。
【図６】本発明の実施の形態に係る配線保護部材取付用治具によってケーブルを自己巻き付き型の配線保護部材の内側に挿入する状態を示す概略的斜視図である。
【図７】本発明の実施の形態に係る他の配線保護部材取付用治具によってケーブルを自己巻き付き型の配線保護部材の内側に挿入する状態を示す概略的斜視図である。
【図８】本発明の実施の形態に係る配線保護部材取付用治具によって内部にケーブルが挿入される自己巻き付き型の配線保護部材の概略的斜視図である。
【発明を実施するための形態】
【００１８】
本発明の実施の形態に係る配線保護部材取付用治具１００は、ケーブル３００をチューブ状の自己巻き付き型の配線保護部材２００の内側に挿入する際に用いられるものであって、ケーブル３００を保持する筒状のケーブル保持部１７０と、このケーブル保持部１７０より大径で前記ケーブル保持部１７０を取り囲む筒状の自己巻き付き型の配線保護部材２００を保持する配線保護部材保持部１６０と、第１ヒンジ部１３０でヒンジ結合された一対の内側板材１１０Ａ、１１０Ｂと、第２ヒンジ部１４０でヒンジ結合された一対の外側板材１２０Ａ、１２０Ｂとを備えており、前記内側板材１１０Ａと前記外側板材１２０Ａとは第３ヒンジ部１５０でヒンジ結合されており、前記一対の内側板材１１０Ａ、１１０Ｂの第１ヒンジ部１３０側には内側半円筒部１３１Ａ、１３１Ｂが形成され、前記一対の外側板材１２０Ａ、１２０Ｂの第２ヒンジ部１４０側には外側半円筒部１４１Ａ、１４１Ｂが形成されており、一対の内側板材１１０Ａ、１１０Ｂを第１ヒンジ部１３０で内側半円筒部１３１Ａ、１３１Ｂを閉じる方向に折り畳むことで内側半円筒部１３１Ａ、１３１Ｂを閉じてケーブル保持部１７０とし、折り畳まれた一対の内側板材１１０Ａ、１１０Ｂをケーブル保持部１７０が外側半円筒部１４１Ａ、１４１Ｂの内側に入るように第３ヒンジ部１５０で折り畳み、一対の外側板材１２０Ａ、１２０Ｂを第２ヒンジ部１４０で外側半円筒部１４１Ａ、１４１Ｂを閉じる方向に折り畳むことで外側半円筒部１４１Ａ、１４１Ｂを閉じて配線保護部材保持部１６０とし、折り畳んだ一対の内側板材１１０Ａ、１１０Ｂを折り畳んだ一対の外側板材１２０Ａ、１２０Ｂで挟み込むようになっている。
【００１９】
この配線保護部材取付用治具１００の説明の前に自己巻き付き型の配線保護部材２００について、図８を参照しつつ説明する。
【００２０】
自己巻き付き型の配線保護部材２００は、１本又は複数本のケーブル３００を内部に挿入して使用されるものである。この自己巻き付き型の配線保護部材２００は、導電性糸を編むことによって構成された柔軟性を有する導電性布等の導電性素材を端部同士が重なり合うように筒状に構成したものである。従って、この自己巻き付き型の配線保護部材２００には、スリット２１０が形成されることになる。
【００２１】
ケーブル３００が、このスリット２１０から自己巻き付き型の配線保護部材２００の内側に挿入されることで、ケーブル３００に自己巻き付き型の配線保護部材２００が取り付けられるのである。
【００２２】
なお、自己巻き付き型の配線保護部材２００は、導電性布から構成されるものだけではなく、柔軟性を有する合成樹脂を筒状に構成したものも存在する。ただし、この自己巻き付き型の配線保護部材２００には、必ずスリット２１０が存在する。
【００２３】
このように構成された自己巻き付き型の配線保護部材２００にケーブル３００を取り付ける配線保護部材取付用治具１００は、絶縁性を有する合成樹脂から構成される。
【００２４】
この配線保護部材取付用治具１００は、図１等に示すように、一対の内側板材１１０Ａ、１１０Ｂ及び一対の外側板材１２０Ａ、１２０Ｂ、すなわち４枚の長方形状の板材が縦長に並んだように構成されている。
【００２５】
前記一対の内側板材１１０Ａ、１１０Ｂは、短辺で第１ヒンジ部１３０によってヒンジ結合されている。しかも、この第１ヒンジ部１３０は、一対の内側板材１１０Ａ、１１０Ｂを重なり合うように折り畳むことができるように構成されている。
【００２６】
この一対の内側板材１１０Ａ、１１０Ｂの前記第１ヒンジ部１３０側には、それぞれ内側半円筒部１３１Ａ、１３１Ｂが形成されている。この内側半円筒部１３１Ａ、１３１Ｂは、円筒形を軸芯方向に二つ割りにした略樋状に形成されている。従って、図５（Ａ）お（Ｂ）に示すように、一対の内側板材１１０Ａ、１１０Ｂを第１ヒンジ部１３０から折り畳むと、一対の内側半円筒部１３１Ａ、１３１Ｂが重なって円筒形状のケーブル保持部１７０が構成されることになる。
【００２７】
このケーブル保持部１７０は、自己巻き付き型の配線保護部材２００に挿入されるケーブル３００を保持する部分であって、その内径は保持すべきケーブル３００より大きく設定されている。
【００２８】
また、前記一対の内側板材１１０Ａ、１１０Ｂには、それぞれ内側開口１１１Ａ、１１１Ｂが開設されている。この内側開口１１１Ａ、１１１Ｂは、後述する外側開口１２１Ａ、１２１Ｂとともに指掛け部１８０を構成することになる。
【００２９】
しかも、一方の内側開口１１１Ｂの縁部には他方の内側板材１１０Ａの内側開口１１１Ａに嵌まり込む内側凸脈１１２Ｂが形成されている。この内側凸脈１１２Ｂは、一対の内側板材１１０Ａ、１１０Ｂを折り畳むと、他方の内側開口１１１Ａに嵌まり込むことで、一対の内側板材１１０Ａ、１１０Ｂの折り畳まれた状態を維持するようになっている。一対の内側板材１１０Ａ、１１０Ｂを折り畳む際には、内側半円筒部１３１Ａ、１３１Ｂのいずれかにケーブル３００を位置させているので、この内側凸脈１１２Ｂは、折り畳まれた一対の内側板材１１０Ａ、１１０Ｂがケーブル２００の力による折り畳み状態の解除を防ぐ意味合いがある。
【００３０】
一方、一対の外側板材１２０Ａ、１２０Ｂは、短辺で第２ヒンジ部１４０によってヒンジ結合されている。しかも、この第２ヒンジ部１４０は、一対の外側板材１２０Ａ、１２０Ｂを重なり合うように折り畳むことができるように構成されている。
【００３１】
この一対の外側板材１２０Ａ、１２０Ｂの前記第２ヒンジ部１４０側には、それぞれ外側半円筒部１４１Ａ、１４１Ｂが形成されている。この外側半円筒部１４１Ａ、１４１Ｂは、円筒形を軸芯方向に二つ割りにした略樋状に形成されている。従って、一対の外側板材１２０Ａ、１２０Ｂを第２ヒンジ部１４０から折り畳むと、一対の外側半円筒部１４１Ａ、１４１Ｂが重なって円筒形状の配線保護部材保持部１６０が構成されることになる。
【００３２】
なお、この外側半円筒部１４１Ａ、１４１Ｂは、図１等に示すように、前記内側半円筒部１３１Ａ、１３１Ｂとは逆向きに開放されている。
【００３３】
前記配線保護部材保持部１６０は、自己巻き付き型の配線保護部材２００を保持する部分であって、その内径は保持すべき自己巻き付き型の配線保護部材２００より大きく設定されている。
【００３４】
しかも、この配線保護部材保持部１６０は、後述するように、ケーブル保持部１７０が入り込む部分であるので、その内径はケーブル保持部１７０の外径より大きく設定されている。しかも、ケーブル保持部１７０と配線保護部材保持部１６０との間には、自己巻き付き型の配線保護部材２００が入り込む隙間が形成されている。
【００３５】
また、前記外側半円筒部１４１Ａ、１４１Ｂは、後方筒部１９０を構成する半円錐台状の半筒部１９１Ａ、１９１Ｂが一方に延出されている。外側半円筒部１４１Ａ、１４１Ｂの半筒部１９１Ａ、１９１Ｂが形成された側とは反対の側には、外側板材１２０Ａ、１２０Ｂより若干突出した半円筒状の半尾部１９２Ａ、１９２Ｂが形成されている。
【００３６】
一対の外側板材１２０Ａ、１２０Ｂを第２ヒンジ部１４０から折り畳むと、半筒部１９１Ａ、１９１Ｂは後方筒部１９０を構成し、半尾部１９２Ａ、１９２Ｂは尾部１９２を形成する。
【００３７】
この後方筒部１９０と尾部１９２とは、配線保護部材保持部１６０と連通している。
【００３８】
また、一対の内側板材１１０Ａ、１１０Ｂ及び外側板材１２０Ａ、１２０Ｂを折り畳んだ状態で構成される後方筒部１９０の内側には、ケーブル保持部１７０は存在しない。ケーブル保持部１７０は、配線保護部材保持部１６０の内側に存在するだけである。
【００３９】
また、前記後方筒部１９０は、半筒部１９１Ａ、１９１Ｂが半円錐台状に形成されているため、先細となっている。
【００４０】
このため、この後方筒部１９０内に導かれた自己巻き付き型の配線保護部材２００は、スリット２１０からケーブル３００を確実に内部に導く。また、これと同時に、自己巻き付き型の配線保護部材２００が後方筒部１９０で強制的に細くされるので、スリット２１０からケーブル３００の一部がはみ出したりすることを防止することができる。
【００４１】
また、前記一対の外側板材１２０Ａ、１２０Ｂには、それぞれ外側開口１２１Ａ、１２１Ｂが開設されている。この外側開口１２１Ａ、１２１Ｂは、前記内側開口１１１Ａ、１１１Ｂとともに指掛け部１８０を構成する。
【００４２】
しかも、外側開口１２１Ａ、１２１Ｂの縁部には、内側板材１１０Ａ、１１０Ｂの内側開口１１１Ａ、１１１Ｂに嵌まり込む外側凸脈１２２Ａ、１２２Ｂが形成されている。
【００４３】
一対の外側板材１２０Ａ、１２０Ｂを折り畳むと、折り畳まれた内側板材１１０Ａ、１１０Ｂを挟み込むようになるので、一対の外側板材１２０Ａ、１２０Ｂを折り畳むと、外側凸脈１２２Ａ、１２２Ｂが内側開口１１１Ａ、１１１Ｂに嵌まり込むことになる。一対の外側板材１２０Ａ、１２０Ｂを折り畳む際には、外側半円筒部１４１Ａ、１４１Ｂのいずれか一方に自己巻き付き型の配線保護部材２００を位置させているので、この外側凸脈１２２Ａ、１２２Ｂは、折り畳まれた一対の外側板材１２０Ａ、１２０Ｂが自己巻き付き型の配線保護部材２００の力による折り畳み状態の解除を防ぐ意味合いがある。
【００４４】
このように構成された一対の内側板材１１０Ａ、１１０Ｂ及び外側板材１２０Ａ、１２０Ｂは、第３ヒンジ部１５０によってヒンジ結合されている。
【００４５】
第３ヒンジ部１５０は、折り畳まれた一対の内側板材１１０Ａ、１１０Ｂから構成されるケーブル保持部１７０を、開いた一対の外側板材１２０Ａ、１２０Ｂのうちの外側板材１２０Ａの外側半円筒部１４１Ａの内側に入れるように内側板材１１０Ａ、１１０Ｂを折り畳むものである。
【００４６】
次に、上述した構成の配線保護部材取付用治具１００の使用手順について図５等を参照しつつ説明する。
【００４７】
まず、図５（Ａ）に示すように、内側半円筒部１３１Ａにケーブル３００を位置させる。この際、内側半円筒部１３１Ａの尾部１９２の反対側、すなわち配線保護部材保持部１６０側にケーブル３００の一方の端末側を位置させる。
【００４８】
なお、図５（Ａ）では、内側半円筒部１３１Ａにケーブル３００を位置させているが、内側半円筒部１３１Ｂにケーブル３００を位置させてもよいことはいうまでもない。
【００４９】
次に、一対の内側板材１１０Ａ、１１０Ｂを第１ヒンジ部１３０から折り畳む。図５（Ｂ）に示すように、すると、一対の内側半円筒部１３１Ａ、１３１Ｂが重なり合ってケーブル保持部１７０となり、ケーブル保持部１７０の内側でケーブル３００が保持されることになる。
【００５０】
なお、ケーブル保持部１７０の内径は、ケーブル３００の外径より大きく設定されているので、ケーブル３００はケーブル保持部１７０の内部で自由に動くことができるようになっている。
【００５１】
また、一対の内側板材１１０Ａ、１１０Ｂを折り畳むと、内側凸脈１１２Ｂが他方の内側開口１１１Ａに嵌まり込むので、一対の内側板材１１０Ａ、１１０Ｂの折り畳まれた状態が維持される。
【００５２】
次に、図５（Ｃ）に示すように、ケーブル３００をスリット２１０から自己巻き付き型保護部材２００の内側に挿入する。すなわち、ケーブル３００はその一部がすでにケーブル保持部１７０によって保持されているので、ケーブル保持部１７０と、ケーブル保持部１７０で保持されているケーブル３００の前後数センチ程度を自己巻き付き型保護部材２００の内側に挿入する。
【００５３】
なお、図５（Ｃ）では、自己巻き付き型保護部材２００を一点鎖線で示している。
【００５４】
そして、図５（Ｄ）に示すように、折り畳まれた一対の内側板材１１０Ａ、１１０Ｂを第３ヒンジ部１５０から折り畳む。
【００５５】
図５（Ｄ）に示すような状態から、一対の外側板材１２０Ａ、１２０Ｂを第２ヒンジ部１４０から折り畳んで、図６に示すような状態にすると、すでに折り畳まれた一対の内側板材１１０Ａ、１１０Ｂを外側板材１２０Ａ、１２０Ｂで挟み込むことになる。同時に、一対の外側半円筒部１４１Ａ、１４１Ｂが重なって配線保護部材保持部１６０となり、一対の半筒部１９１Ａ、１９１Ｂが重なり合って後方筒部１９０となり、一対の半尾部１９２Ａ、１９２Ｂが重なり合って尾部１９２となる。
【００５６】
また、一対の外側板材１２０Ａ、１２０Ｂの外側凸脈１２２Ａ、１２２Ｂが、一対の内側板材１１０Ａ、１１０Ｂの内側開口１１１Ａ、１１１Ｂに嵌まり込むので、配線保護部材取付用治具１００は折り畳まれた状態を維持しやすくなる。
【００５７】
一対の内側板材１１０Ａ、１１０Ｂの内側開口１１１Ａ、１１１Ｂと一対の外側板材１２０Ａ、１２０Ｂの外側開口１２１Ａ、１２１Ｂとが、重なり合って指掛け部１８０を構成する。
【００５８】
この状態で配線保護部材取付用治具１００の後方筒部１９０側から突出した自己巻き付き型の配線保護部材２００を一方の手で把持し、他方の手で配線保護部材取付用治具１００を把持し、配線保護部材取付用治具１００を後方筒部１９０の反対側（図６に示す矢印α方向）にスライドさせる。
【００５９】
配線保護部材取付用治具１００のスライドにより、外側に位置していたケーブル３００は、自己巻き付き型保護部材２００のスリット２１０を介してケーブル保持部１７０の内側に導かれ、自然と自己巻き付き型の配線保護部材２００の内側にスリット２１０から挿入される。
【００６０】
この配線保護部材取付用治具１００のスライドの際、指掛け部１８０に指を入れると把持しやすくかつ力が入りやすくなるので、配線保護部材取付用治具１００をスムーズかつ確実にスライドさせることができる。また、指掛け部１８０に指を入れておくことで、一対の内側板材１１０Ａ、１１０Ｂ及び一対の外側板材１２０Ａ、１２０Ｂの折り畳み状態が確保され、ケーブル３００の自己巻き付き型の配線保護部材２００への挿入が確実に行われる。
【００６１】
なお、上述した実施の形態では、指掛け部１８０は、一対の内側板材１１０Ａ、１１０Ｂにそれぞれ開設された内側開口１１１Ａ、１１１Ｂと、一対の外側板材１２０Ａ、１２０Ｂにそれぞれ開設された外側開口１２１Ａ、１２１Ｂとから構成されると説明したが、図７に示すようなものであってもよい。
【００６２】
すなわち、図７に示す配線保護部材取付用治具１００では、前記一対の内側板材１１０Ａ、１１０Ｂ及び前記一対の外側板材１２０Ａ、１２０Ｂには、折り畳んだ状態で重なって指掛け部１８０Ａとなる内側凹部１１３Ａ、１１３Ｂ及び外側凹部１２３Ａ、１２３Ｂが縁部に形成されている。
【００６３】
このように、指掛け部１８０Ａが孔状ではなく、縁部に形成された半円形の凹部である場合は、サイズが大きい配線保護部材取付用治具１００に適している。
【符号の説明】
【００６４】
１００              配線保護部材取付用治具
１１０Ａ、１１０Ｂ  内側板材
１２０Ａ、１２０Ｂ  外側板材
１３０              第１ヒンジ部
１３１Ａ、１３１Ｂ  内側半円筒部
１４０              第２ヒンジ部
１４１Ａ、１４１Ｂ  外側半円筒部
１５０              第３ヒンジ部
１６０              配線保護部材保持部
１７０              ケーブル保持部
２００              自己巻き付き型の配線保護部材
３００              ケーブル
【図１】
2015019536.tif 000003
【図２】
2015019536.tif 000004
【図３】
2015019536.tif 000005
【図４】
2015019536.tif 000006
【図５】
2015019536.tif 000007
【図６】
2015019536.tif 000008
【図７】
2015019536.tif 000009
【図８】
2015019536.tif 000010